(57)【要約】  容器は、一端部（１６）が閉鎖されるとともに他端部（１８）が開放されている中空の管状本体（１２）と、本体の向きに関係なく水平に保つようにジンバル（２４）（２６）に取り付けられた本体ジンバル内のプラットフォーム（１４）とを備えている。本体（１２）の閉鎖端部にハンドルが設けられている。
2007519577.tif 000002
【特許請求の範囲】
【請求項１】
一端部が閉鎖されるとともに他端部が開放されている中空の管状外側本体と、本体の向きに関係なく水平に保つように取り付けられた本体ジンバル内のプラットフォームと、本体の閉鎖端部に固定されたハンドルとを備えた容器。
【請求項２】
本体が取り付けられるジンバルは、本体の内面に枢動可能に取り付けられた外側ジンバルリングと、外側ジンバルに枢動可能に取り付けられた内側ジンバルリングとを備えており、それらの枢動軸は相互に垂直となっており、且つ、プラットフォームは内側ジンバルリングに取り付けられている、請求項１に記載の容器。
【請求項３】
プラットフォームは、内側リングの下方にて周縁壁により取り付けられ、且つ、プラットフォーム及び周縁壁が内側本体を形成する、請求項２に記載の容器。
【請求項４】
内側本体及び外側本体は、樽形状をなしている、請求項３に記載の容器。
【請求項５】
プラットフォームは、それに固定される付勢用重りを有している、請求項２から請求項４までのいずれか一項に記載の容器。
【請求項６】
ハンドルは可撓性がある、請求項１から請求項５までのいずれか一項に記載の容器。
【請求項７】
ハンドルは剛性がある、請求項１から請求項５までのいずれか一項に記載の容器。
【請求項８】
拘束手段が、内側本体に嵌り合うようにハンドルに関連付けられ、且つ、ハンドルが運搬位置にあるときに外側本体に対してその移動を拘束する、請求項３、又は請求項３に従属する請求項４から請求項７までのいずれか一項に記載の容器。
【請求項９】
拘束手段は、一対の脚部である、請求項８に記載の容器。
【請求項１０】
拘束手段は、内側本体を閉鎖するキャップである、請求項８に記載の容器。
【請求項１１】
実質的に添付図面を参照して明細書に記載され且つ添付図面に示された容器。
【発明の詳細な説明】
【技術分野】
【０００１】
本発明は、容器、特に、子供がランチボックスとして又は学校用又は遊び道具用の器材を学校へ運搬するために使用されるのに十分に軽量である容器に関する。
【発明の概要】
【０００２】
本発明は、一端部が閉鎖されるとともに他端部が開放されている中空の管状本体と、本体の向きに関係なく水平に保つように取り付けられた本体ジンバル内のプラットフォームと、本体の閉鎖端部に固定されたハンドルとを備えた容器である。
【０００３】
好ましくは、本体が取り付けられるジンバルは、本体の内面に枢動可能に取り付けられた外側ジンバルリングと、外側ジンバルに枢動可能に取り付けられた内側ジンバルリングとを備えており、それらの枢動軸は相互に垂直となっており、且つ、プラットフォームは内側ジンバルリングに取り付けられているとよい。
【０００４】
プラットフォームは、内側リングの下方にて周縁壁により取り付けられるとよい。
【０００５】
プラットフォームは、それに固定される付勢用重りを有しているとよい。
【０００６】
好ましくは、本体は樽形状をなしており、且つ、プラットフォームを取り付ける壁もまた樽形状をなしているとよい。
【０００７】
ハンドルは可撓性があってもよい。
【０００８】
ハンドルは、剛性があり、且つ、本体に枢動可能に取り付けられていてもよい。
【０００９】
拘束手段が、内側本体に嵌り合うようにハンドルに関連付けられ、且つ、ハンドルが運搬位置にあるときに外側本体に対してその移動を拘束するとよい。
【００１０】
以下、本発明の一実施形態が添付図面を参照して一例として説明される。
【発明を実施するための形態】
【００１１】
ここで図１を参照すると、容器１０は、ジンバルが取り付けられたプラットフォーム１４（内側本体１５の一部を形成するもの）がその内部に位置付けられる樽形状の本体１２を有している。図面において、容器１２は、その幾つかの詳細部分が視認されるように傾けられた状態で示されている。本体１２（本実施形態では球の一区画をなす）は、一端部１６が閉鎖されるとともに他端部１８が開放されており、且つ、両方の端部には、周縁リップ２０が設けられている。
【００１２】
プラットフォーム１４が取り付けられるジンバルは、外側ジンバルリング２４及び内側ジンバルリング２６を備えており、外側リング２４は本体１２の内面上の突出部２８に枢動可能に取り付けられ、且つ、内側リングは、外側リング２４の内面上の突出部３０に取り付けられている。突出部２８及び３０のそれぞれの軸は相互に垂直となっており、且つ、突出部２８の軸は、本実施形態では、端部に対して平行になっている。本実施形態におけるプラットフォーム１４は、円形であり、且つ、内側リング２６の下方にある。プラットフォーム１４は、その断面が本体１２の湾曲に合致するように湾曲した周縁壁３４により内側リングに固定されている。
【００１３】
組み合わされたプラットフォーム１４及び壁３４を備える内側本体１５の重心は、内側リング２６の下方にあるが、仮にそれらが軽量の材料（例えばプラスチック材料）から作られるのであれば、プラットフォームを水平位置に付勢するようにプラットフォームに重りを追加するのが望ましいかもしれない。
【００１４】
本体の閉鎖端部にある外面には、取っ手又は肩ひもとして機能するように、可撓性のあるハンドル４０が固定されている。
【００１５】
使用時には、本実施形態のプラットフォーム１４はいつでも水平状態に保たれる。容器がハンドルにより運搬されるときには、外側本体１２の閉鎖端部が最上位になり、プラットフォーム１４上の任意のものが効果的に閉鎖容器内に収まることになる。内容物にアクセスするためには、外側本体１２の開放端部が最上位になるように逆さにされ（ジンバル装備のためにプラットフォーム１４は水平状態に保たれる）、内容物はそれから開放端部を介して取り除くことが可能である。
【００１６】
図２は、外側本体１２の断面に合致する実質的に球形の断面を有する、変形された内側本体１５の断面図であり、ここで、プラットフォーム１４は、本体１５の一端部（閉鎖端部）にあり、他端部は開放している。変形された内側本体１５は、その開放端部にある逆フランジ４２と、プラットフォーム１４上にある任意のものの移動を制限する環状波形部４４とを有している。プラットフォーム１４の下方には重り４６が設けられ、且つ、プラットフォーム内には排出穴４８が設けられている。
【００１７】
図３Ａ及び図３Ｂは、ハンドルに対向軸５０（それによりハンドルが外側本体の閉鎖端部に取り付けられるもの）が設けられている、本発明の更なる実施形態の断面図である。一対の脚部５２がハンドル４０とともに枢動するように軸５０に固定され、且つ、ハンドルが運搬位置（図３Ｂ参照）にあるときに、外側本体に対しての内側本体１５の移動を拘束するように内側本体１５に嵌り合う。
【００１８】
図４の実施形態において、脚部５２は、キャップ５４により置き換えられているが、このキャップ５４は、ハンドルが詰め込み位置にあるときには、内側本体１５から離れているが、ハンドルが運搬位置にあるときには、内側本体の移動を拘束するとともにそれを密封するように内側本体の開放端部を閉鎖するものである。キャップ５４は、図５に示されているように、内側容器を開放してそれを拘束から自由にするためにハンドルがその運搬位置から詰め込み位置へ移動するにつれてキャップが上方及び側方へ移動するように、ハンドルが固定されるクランク軸５６上で回転可能であるとよい。ハンドルが詰め込み位置にあるときには、キャップがジンバル上での内側本体の移動に干渉しないように、キャップが外側本体１２の内壁に嵌り合うことが望ましい。
【００１９】
脚部５０及びキャップ５４は、ハンドルが運搬位置にあるときに外側本体に対する内側本体の移動を拘束する他の手段により置き換えられてもよい。
【図面の簡単な説明】
【００２０】
【図１】本発明による容器の第１の実施形態を概略的に示す図。
【図２】図１の容器における変形された内側本体の断面図。
【図３Ａ】本発明の他の実施形態の断面図。
【図３Ｂ】本発明の他の実施形態の断面図。
【図４】図３Ａ及び図３Ｂの実施形態の一変形例を概略的に示す図。
【図５】図４の変形された実施形態の詳細を示す図。
【図１】
2007519577.tif 000003
【図２】
2007519577.tif 000004
【図３Ａ】
2007519577.tif 000005
【図３Ｂ】
2007519577.tif 000006
【図４】
2007519577.tif 000007
【図５】
2007519577.tif 000008
【国際調査報告】
2007519577.tif 000009
2007519577.tif 000010
2007519577.tif 000011
2007519577.tif 000012
2007519577.tif 000013